(57)【要約】  本発明は、原材料収容カプセルから飲料を調製するための携帯型飲料調製デバイスであって、このデバイスは、カプセルを受容し、カプセルへの液体の注入によってカプセル内の原材料から飲料を調製するための飲料淹出ユニットと、飲料を調製するのに適した所定量の液体を保持するように設計された液体貯留槽と、飲料淹出ユニットに加圧液体を提供するようになっているポンプユニットと、液体貯留槽内に配置され、その量の液体を加熱するようになっている加熱手段と、を備え、デバイスは、このデバイスを離れた場所の電源に電気的且つ機械的に選択的に接続するようになっている多機能コネクタを更に備える、携帯型飲料調製デバイスに関する。【選択図】  図１ｂ
2017518782.tif 000002
【特許請求の範囲】
【請求項１】
原材料収容カプセル（１０）から飲料を調製するための携帯型飲料調製デバイス（２０）であって、前記デバイスは、
前記カプセル（１０）を受容し、前記カプセルへの液体の注入によって前記カプセル（１０）内の前記原材料から前記飲料を調製するための飲料淹出ユニット（５）と、
前記飲料を調製するのに適した所定量の液体を保持するように設計された液体貯留槽（８）と、
前記飲料淹出ユニット（５）に加圧液体を提供するようになっているポンプユニット（７）と、
前記液体貯留槽（８）内に配置され、前記量の液体を加熱するようになっている加熱手段（９）と、を備え、
前記デバイスは、該デバイスを離れた場所の電源に電気的且つ機械的に選択的に接続するようになっている多機能コネクタ（５１）を更に備える、携帯型飲料調製デバイス（２０）。
【請求項２】
前記液体貯留槽（８）が、１杯分の前記飲料を調製するのに適した量の液体を保持するように設計されている、請求項１に記載の携帯型飲料調製デバイス。
【請求項３】
前記液体貯留槽（８）が、３０〜６０ｍＬ、好ましくは、３５〜４５ｍＬの容積を有する、請求項１又は２に記載の携帯型飲料調製デバイス。
【請求項４】
前記多機能コネクタ（５１）が、前記デバイスを、ドッキングステーション（３０）、バッテリユニット（４０）、及び低電圧電力ケーブル（６０）からなる群のうちの２つ以上に電気的且つ機械的に接続するようになっている、請求項１〜３のいずれか一項に記載の携帯型飲料調製デバイス。
【請求項５】
前記デバイス（２０）が、前記多機能コネクタ（５１）によって供給されるＤＣ入力電流によって動作するようになっている、請求項１〜４のいずれか一項に記載の携帯型飲料調製デバイス。
【請求項６】
前記デバイス（２０）が、前記バッテリユニット（４０）と併せた移動使用、好ましくは自動車電源アダプタ（６０）と併せた事実上の移動使用、及び前記ドッキングステーション（３０）と併せた定置使用に適応している、請求項１〜５のいずれか一項に記載の携帯型飲料調製デバイス。
【請求項７】
前記デバイスの前記ポンプ（７）が、好ましくは、前記デバイスのハウジング（２０ａ）から振動が伝わらないよう分離されている、膜ポンプである、請求項１〜６のいずれか一項に記載の携帯型飲料調製デバイス。
【請求項８】
前記デバイスが、受容器（１１）に選択的に接続し、且つ得られた前記飲料を前記淹出ユニット（５）から前記受容器へ注出するための飲料注出手段（６、６ａ）を更に備える、請求項１〜７のいずれか一項に記載の携帯型飲料調製デバイス。
【請求項９】
前記飲料注出手段（６、６ａ）が、前記淹出ユニット（５）の上方に配置される受容器（１１）のための支持面（１２）から突出している、請求項８に記載の携帯型飲料調製デバイス。
【請求項１０】
前記淹出ユニット（５）が、前記飲料調製デバイス内において前記液体貯留槽（８）及び前記ポンプ（７）の上方に配置されている、請求項１〜９のいずれか一項に記載の携帯型飲料調製デバイス。
【請求項１１】
請求項１〜１０のいずれか一項に記載の飲料調製デバイスを備えるキットであって、前記キットはドッキングステーション（３０）及びバッテリユニット（４０）を更に備え、
前記ドッキングステーション（３０）及び前記バッテリユニット（４０）は、前記デバイス（２０）の前記多機能コネクタ（５１）に電気的且つ機械的に選択的に接続されるようになっている同じ接続手段（５０）を備える、キット。
【請求項１２】
前記キットが、前記ドッキングステーション（３０）及び前記バッテリユニット（４０）と同じ接続手段（５０）を有し、且つ前記デバイス（２０）の前記多機能コネクタ（５１）に電気的且つ機械的に接続されるようになっている低電圧電力ケーブル及び／又は自動車電源アダプタ（６）を更に備える、請求項１１に記載のキット。
【請求項１３】
前記キットが、前記デバイスの専用注出手段（６、６ａ）に選択的に接続可能であるように設計された受容器（１１）を更に備える、請求項１１又は１２に記載のキット。
【請求項１４】
前記デバイス（２０）及び／又は前記受容器（１１）が、少なくとも２つの異なる姿勢、すなわち飲料吐出姿勢及び受容器格納姿勢で選択的に接続可能であるようになっている、請求項１３に記載のキット。
【請求項１５】
前記ドッキングステーション（３０）が、前記システムの前記バッテリユニット（４０）の前記電気接続手段（５０）が充電のために接続され得る少なくとも１つの充電部材（５２）を備える、請求項１１〜１４のいずれか一項に記載のキット。
【発明の詳細な説明】
【技術分野】
【０００１】
本発明は、飲料原材料収容カプセルから飲料を調製するためのモジュール式飲料調製デバイスに関する。特に、本発明は、定置及び移動使用のための携帯型飲料調製デバイスに関する。
【背景技術】
【０００２】
原材料収容カプセルからのコーヒー又は茶などの飲料の調製のためのデバイスが従来技術において周知である。これらのデバイスは一般的に、デバイス内に挿入されたカプセルを通して、加圧され、加熱された液体を提供するために、液体タンクと、ポンプと、加熱手段とを備える定置デバイスである。液体はカプセル内へ注入され、カプセル内に提供された原材料と相互作用することになる。その後、得られた飲料はカプセルから排出され、専用受容容器内に収集されてもよい。
【０００３】
周知のシステムの欠点は、これらのデバイスが定置使用専用に設計されているという事実である。これは、デバイスが、商用電源に近い、家庭内の一定の場所に配置されなければならないことを意味する。加えて、デバイスは、デバイスの液体タンク内への液体の充填又は再充填を可能にするために、水道の近くに配置されなければならない。それゆえ、飲料調製は、デバイスの所定の定置ロケーションにおいてしか実行されることができない。
【０００４】
したがって、離れた場所（remote place）における、特にコーヒー飲料などの、温飲料の調製及び提供を可能にする携帯型デバイスが提案されている。
【０００５】
例えば、欧州特許第１２７７４２８号は、低電圧車両のために設計された携帯型エスプレッソコーヒーマシンであって、水を加熱要素に運搬するためのポンプに接続された水貯留槽を備え、加熱要素はそれ自体がコーヒーの一部分のための抽出ヘッドに接続されている、携帯型エスプレッソコーヒーマシンに関する。デバイスは、例えば、自動車又はボート内に存在するものなどの、１２〜５０ボルトの低電圧源と併せて使用されるようになっている。更に、デバイスは、飲料調製の最中にポンプが作動された場合には、加熱要素の加熱を低減又は中断するようになっている。
【０００６】
米国特許出願公開第２００９／００２９０２１号は、コーヒー飲料を淹出するための携帯型デバイスであって、このデバイスは、水タンクと、給湯ノズル、及び１杯分の淹出調製物が挿入されることができる開口部を呈するチャンバを含むハウジングと、チャンバを閉鎖するための閉鎖部分と、淹出サイクルの間に、淹出温度まで高められた一定体積の水をタンクからチャンバへ吐出するように作動するべくタンクに接続された手段と、得られた飲料が好適な受容容器内へ注がれ得る淹出物流出オリフィスと、を備える、デバイスに関する。デバイスは、ポンプ及び水加熱手段に電力を供給するための再充電可能バッテリを任意選択的に備え、このバッテリはデバイスの取っ手内に配置されてもよい。
【０００７】
国際公開第２０１１／１３５５３９号は、互いに／互いから結合及び分離されることができ、電気的及び流体的接続を提供するためのそれぞれの協働手段を設けられた固定部分及び可動部分を備える飲料調製マシンに関する。マシンの可動部分は、吸水手段と、ポンプと、ポンプに接続された専用湯沸かし器と、コーヒー飲料のための淹出チャンバと、を備える。周囲温度で吸水手段に提供された水が、加熱水を淹出チャンバに提供するために、マシンの湯沸かし器内で継続的に加熱される。デバイスの固定部分に接続されるとき、可動部分のポンプ及び湯沸かし器は固定部分の液体貯留槽と接続される。
【０００８】
このマシンの欠点は、携帯型デバイスとしてのその融通性を制限するデバイスの可動部分の比較的大きな寸法である。加えて、１杯分のコーヒー飲料の調製のために必要な量の液体だけでなく、マシンの湯沸かし器内のこの量と交替する次の水も加熱されるため、水を絶えず加熱するための湯沸かし器機構は、比較的高いエネルギー消費になる。
【発明の概要】
【発明が解決しようとする課題】
【０００９】
周知の従来技術の器具に鑑み、本発明は、高い融通性を可能にし、デバイスのエネルギー消費の低減をもたらす飲料調製デバイス及びシステムを提供する問題に対処することを追及する。本発明はまた、以下の説明において明らかになるとおりの更なる問題に対処することを追及する。
【課題を解決するための手段】
【００１０】
第１の態様では、本発明は、原材料収容カプセルから飲料を調製するための携帯型飲料調製デバイスであって、このデバイスは、カプセルを受容し、カプセルへの液体の注入によってカプセル内の原材料から飲料を調製するための飲料淹出ユニットと、飲料を調製するのに適した所定量の液体を保持するように設計された液体貯留槽と、飲料淹出ユニットに加圧液体を提供するようになっているポンプユニットと、液体貯留槽内に配置され、その量の液体を加熱するようになっている加熱手段と、を備え、デバイスは、このデバイスを離れた場所の電源に電気的且つ機械的に選択的に接続するようになっている多機能コネクタを更に備える、携帯型飲料調製デバイスに関する。
【００１１】
本発明は、デバイスの液体貯留槽内に直接配置された加熱手段を有するコンパクトな飲料調製マシンの提供を可能にする。したがって、デバイス内の個々の構成要素のために必要な空間が低減される。同時に、デバイスの融通性が増す。これに関して、デバイスの単一の多機能コネクタは、例えば、デバイスの携帯使用又は定置使用を可能にするために、コンパクトな実施形態、並びに複数の異なる電源への選択的接続を提供することを可能にする。更に、前述の液体量、すなわち、液体貯留槽内に提供される液体量のみが加熱されるため、デバイスのエネルギー消費が低減される。
【００１２】
用語「携帯型」飲料調製デバイスは、定置飲料調製デバイスと対比して、離れた場所において使用されるのに適したものとして理解されるべきであることに留意されたい。これに関して、携帯型とは、特に、人間がデバイスを、例えば、手で、又は小型スーツケースに入れて、容易に便利に運ぶことができることを意味する。デバイスは好ましくは、飲料調製デバイスの重量及びサイズを大幅に増大させるであろう大きな液体貯留槽を持たない。
【００１３】
加熱手段は好ましくは、デバイスのユーザの指令に応じて作動されるようになっている。これに関して、加熱手段は好ましくは、淹出ユニット内に配置されたカプセル内への液体の注入の直前にユーザによって作動される。これは、加熱手段の専用作動ボタンを押したときに手動で達成されるか、デバイスを作動させたときに自動的に達成されてもよい。加熱手段は好ましくは、液体貯留槽内に収容された量の液体を、好ましくは８５〜９５℃にある、所定の温度まで加熱するように設計される。
【００１４】
好ましい実施形態では、加熱手段は好ましくは、貯留槽内に収容された量の液体を、作動後、２〜４分で、好ましくは約３分で約９０℃まで加熱するように設計される。デバイスの加熱手段は好ましくは、１８００Ｗの電力を有する。
【００１５】
好ましい実施形態では、デバイスの液体貯留槽は、１杯分の飲料を調製するのに適した量の液体を保持するように設計されている。液体貯留槽は好ましくは、３０〜６０ｍＬ、好ましくは、３５〜４５ｍＬの容積を有する。特に好ましい実施形態では、液体貯留槽は、カップ１杯のエスプレッソ型飲料を調製するための液体量を含む。液体貯留槽の比較的小さい容積のおかげで、その内部に収容された液体の加熱は加速される。
【００１６】
デバイスの多機能コネクタは好ましくは、デバイスを、ドッキングステーション、バッテリユニット、及び低電圧電力ケーブルからなる群のうちの２つ以上に電気的且つ機械的に接続するようになっている。これに関して、これらの実体は好ましくは、デバイスの動作のための電源として機能するように設計される。
【００１７】
多機能コネクタは好ましくは、いかなる流体接続又は流体連通手段も持たない。
【００１８】
好ましい実施形態では、携帯型デバイスは、少なくとも、バッテリユニットと併せた移動使用、好ましくは自動車電源アダプタと併せた事実上の移動使用、及びドッキングステーションと併せた定置使用に適応している。
【００１９】
デバイスは好ましくは、多機能コネクタによって供給されるＤＣ入力電流によって動作するようになっている。これに関して、デバイスは好ましくは、いかなる更なる給電手段も持たない。これは、デバイス、又は、デバイスの電気構成要素は、多機能コネクタを介して提供されるＤＣ入力電流によってのみ電気的に駆動されることを意味する。
【００２０】
デバイスは好ましくは、好ましくは１２〜１５ボルトのＤＣ入力電流を受電するようになっている。デバイスがその多機能コネクタを介して接続され得る専用ドッキングステーション及び／又は電源アダプタは好ましくは、デバイスに適切な入力電圧を提供するＡＣ／ＤＣ電力変換器を備える。
【００２１】
飲料調製デバイスは好ましくは、温飲料、及び特にエスプレッソ型コーヒーを高圧で調製するように設計される。これに関して、デバイスは、高水圧供給及び高水温設定を提供するように設計される。デバイスは好ましくは、１０〜１５バールの高圧で飲料を調製するように設計される。デバイスの加熱手段は好ましくは、１２ボルトの公称電圧を供給されるように設計された２つのカートリッジヒータを備える。
【００２２】
デバイスのポンプは好ましくは膜ポンプである。ポンプは好ましくは、デバイスのハウジングから、振動が伝わらないよう分離されている。膜ポンプは好ましくは、１０〜１５バールの好ましい圧力の提供を可能にするように設計され、その一方で同時に、膜ポンプは、低ＤＣ電圧電気モータによって駆動されることができる。膜ポンプの使用はその可撓性のおかげでキャビテーション問題を防止することに留意されたい。
【００２３】
デバイスは好ましくは、少なくとも１つの開始／停止ボタンを備えるユーザインタフェースを備える。ボタンは好ましくは、ユーザへのデバイスの動作状態に関する比較的単純なフィードバックを可能にするように設計された背景照明を有するスイッチである。例えば背景照明を有する単純なスイッチ又はボタンを使用することで、ユーザインタフェースによる電力消費の最小化が可能になる。具体的には、スイッチは、貯留槽内の水などの液体の予熱の最中には点滅し、水が淹出温度になると、例えば、継続的点灯によって、準備完了モードに変わってもよい。これはデバイスの専用温度センサによって感知されることができる。スイッチは、色の変化によってデバイスの電力ステータスを示すように設計されてもよい。具体的には、赤色になったスイッチは、電圧の落ちたバッテリが装着されていることなど給電が不十分であることに関係してもよく、緑色になったスイッチは、任意の電源上でデバイスが適正に電圧を印加されていることに関係してもよい。
【００２４】
好ましい実施形態では、デバイスは、受容器に選択的に接続し、得られた飲料を淹出ユニットから受容器へ注出するための接続手段を更に備える。それゆえ、接続手段は好ましくは、得られた液体を淹出ユニットから受容器へ提供するための一体的に形成された飲料注出出口などの、一体的に形成された飲料注出手段を備える。飲料注出手段は好ましくは、飲料淹出ユニットの上部部分から突出している。特に好ましい実施形態では、飲料注出手段は、淹出ユニットの上方に配置される受容器のための支持面から突出している。支持面は好ましくは、飲料調製デバイスの最上部部分に配置された平坦な及び／又は丸い表面である。
【００２５】
例えば、用語「上部（upper）」、「下部（lower）」、「上方（above）」及び「下方（below）」などの方向及び向きは、携帯型飲料調製デバイスの作動状態に言及しており、輸送又は保管中のデバイスの向きに言及しているのではないと理解されるべきであることに留意されたい。
【００２６】
携帯型飲料調製デバイスの作動状態では、淹出ユニットは飲料調製デバイス内において液体貯留槽及びポンプの上方に配置される。飲料注出手段は好ましくは、飲料淹出ユニットの上方に配置される。充填される受容器は好ましくは、飲料淹出ユニット及び飲料注出手段の上方に配置される。特に好ましい実施形態では、少なくともデバイスのポンプ、飲料淹出ユニット及び飲料注出手段は好ましくは、特に、デバイス内で上下に積み重ねられるなど、本質的に上下に配置される。
【００２７】
飲料淹出ユニット及び飲料注出手段を通る液体の流路は好ましくは、共通の方向にある。特に、デバイスのポンプから飲料淹出ユニット及び飲料注出手段への液体の流路は共通の方向にある。これに関して、飲料調製デバイスの作動状態では、デバイスの以上において示された構成要素を通る液体の流路は好ましくは、重力に逆らって上下に方向付けられる。したがって、飲料注出手段に接続された受容器は、注出された飲料を下方から充填されることになる。
【００２８】
このような配置によって、飲料調製デバイスの非常にコンパクトな配置を達成するなどするために、デバイスの個々の構成要素の間の距離は最小化される。これによって、また、デバイスの個々の部分を流体接続するために必要な配管も短縮され得、それゆえ、細菌又は同様のものによる汚染のリスクが最小限に抑えられる。
【００２９】
デバイスの淹出ユニットは好ましくは、円錐台形状の本体部分と、この本体部分の周囲縁部分に接続され、その出口面を構成する膜とを備える回転対称的なカプセルを収容するように設計される。カプセルは、周囲縁部分、及びそれに接続された膜がカプセルの上側に配置されるように淹出ユニット内に配置される。
【００３０】
本発明の更なる態様は、原材料収容カプセルから飲料を調製するための携帯型飲料調製デバイスであって、このデバイスは、カプセルを受容し、カプセル内への加圧液体の注入によってカプセル内の原材料から飲料を調製するための飲料淹出ユニットと、それに提供されたカプセルを密閉するために淹出ユニットに選択的に接続可能な蓋部材と、を備え、蓋部材は好ましくは、受容器に、好ましくは受容器の底部に選択的に接続するように設計された飲料注出手段を備え、飲料淹出ユニットは、淹出ユニットからデバイスの流体貯留槽への流体接続部を選択的に開放するなどするためにデバイスのハウジング内に可動に配置される、携帯型飲料調製デバイスに関する。
【００３１】
したがって、淹出ユニットから流体貯留槽への流体接続部が開放している場合には、空の淹出ユニット内への液体の充填を経たデバイスの流体貯留槽の再充填が可能になる。それゆえ、ユーザは、液体貯留槽を再充填するために、淹出ユニット、すなわち、デバイスのハウジングから蓋部材を取り外し、単に所定の量の液体を淹出ユニット内に充填するだけでよい。それゆえ、液体貯留槽の再充填の目的に適したデバイスにおける専用の別個のアパーチャ又は弁手段は省かれ得る。
【００３２】
好ましい実施形態では、淹出ユニットから流体貯留槽への流体接続部は、デバイス、すなわち、淹出ユニットへの蓋部材の提供に依存して開放される。これに関して、蓋部材がデバイスにおいて配置されていない場合には、飲料淹出ユニットは好ましくは、専用弁手段、例えば、飲料淹出ユニットから液体貯留槽への流体の流れを可能にする環状通路、を開放するために流体貯留槽から離れる方向に移動させられる。これは、淹出ユニットにおいて配置されたばね部材によって達成されてもよい。蓋部材をデバイス、すなわち、淹出ユニット上に閉じると、淹出ユニットは、流体貯留槽へ向かう方向に移動させられ、これにより、弁手段、例えば、淹出ユニットから液体貯留槽への環状通路が閉鎖される。
【００３３】
更なる態様では、本発明は、飲料調製キット、すなわち、飲料調製システムであって、このキット、すなわち、システムは、上述されたとおりの飲料調製デバイスと、ドッキングステーションと、バッテリユニットとを備え、ドッキングステーション及びバッテリユニットは、デバイスの多機能コネクタに電気的且つ機械的に選択的に接続されるようになっている同じ接続手段を備える、飲料調製キット、すなわち、飲料調製システムに関する。
【００３４】
この接続手段は好ましくは、流体接続を全く持たない。
【００３５】
好ましい実施形態では、キットは、ドッキングステーション及びバッテリユニットと同じ接続手段を有し、且つデバイスの多機能コネクタに電気的且つ機械的に接続されるようになっている低電圧電力ケーブル及び／又は自動車電源アダプタを更に備える。
【００３６】
ドッキングステーションは好ましくは、システムのバッテリユニットの接続手段が充電のために接続され得る少なくとも１つの充電部材、すなわち、充電ドックを備える。ドッキングステーションは好ましくは、携帯型飲料調製デバイス及び少なくとも１つのバッテリユニットのための電気的且つ機械的接続を同時に提供するように設計される。ドッキングステーションは好ましくは、商用電源に接続されるように設計される。これに関して、ドッキングステーションは好ましくは、ＤＣ出力電圧をステーションの接続手段に提供するようになっているＡＣ／ＤＣ電力変換器を備える。好ましい実施形態では、ドッキングステーションは、１２〜１５ボルトのＤＣ出力電圧を、携帯型デバイスが接続されてもよい、ステーションの接続手段に提供するようになっている。
【００３７】
ドッキングステーションは好ましくは、ステーションに接続された任意のバッテリユニットの充電状態に関する情報のユーザへの提供を可能にするグラフィカルユーザインタフェースを備える。更に、グラフィカルユーザインタフェースは好ましくは、ドッキングステーションに接続されると飲料調製デバイスの操作を可能にするように設計される。グラフィカルユーザインタフェースは、飲料調製デバイスがステーションに接続されたときに飲料調製デバイスの動作状態に関するフィードバック情報を提供するように更に設計されてもよい。
【００３８】
好ましい実施形態では、キットは、専用接続手段に、すなわち、携帯型デバイスの飲料注出手段に選択的に接続されるように設計された受容器を更に備える。これに関して、携帯型デバイス及び／又は受容器は、少なくとも２つの異なる姿勢、すなわち、飲料吐出姿勢及び受容器格納姿勢で選択的に接続されるようになっている。
【００３９】
デバイスに接続されるための受容器は好ましくは、好ましくは受容器の底壁内などの、受容器の壁内に一体的に形成された弁又は選択的に開放可能なアパーチャなどの流入手段を備える。流入手段は、例えば、弁又は自己閉鎖膜であってもよい。弁又は膜の閉鎖力は好ましくは、受容器が完全に充填された場合に、弁又は膜が、少なくとも、受容器内の液体によってそれに加えられる圧力に、漏れを全く伴うことなく耐えることができることを確実にするように選択される。受容器の弁手段は好ましくは、携帯型デバイスから受容器の内部への流体接続を可能にするために、専用接続手段と、又は、携帯型デバイスの飲料注出手段と相互作用するように設計される。
【００４０】
本発明の更なる特徴、利点及び目的は、本発明の実施形態の以下の詳細な説明を添付の図面の図と併せて読むことによって当業者にとって明らかになるであろう。
【図面の簡単な説明】
【００４１】
【図１ａ】ドッキングステーションと、携帯型飲料調製デバイスと、バッテリユニットとを備える、本発明に係るシステムの好ましい実施形態の斜視側面図である。
【図１ｂ】自動車電源コネクタを更に備える、図１ａに示されるとおりのシステムの斜視分解組立図である。
【図２】保管又は輸送姿勢における携帯型飲料調製デバイスの好ましい実施形態の断面側面図に関する。
【図３ａ】デバイスの淹出ユニット内へのカプセルの提供の最中における携帯型飲料調製デバイスの断面側面図である。
【図３ｂ】デバイスの淹出ユニット内へのカプセルの提供の最中における携帯型飲料調製デバイスの断面側面図である。
【図３ｃ】デバイスの淹出ユニット内へのカプセルの提供の最中における携帯型飲料調製デバイスの断面側面図である。
【図３ｄ】デバイスの動作状態における、すなわち、飲料生成の最中におけるデバイスの部分断面側面図である。
【図４ａ】飲料調製デバイスの飲料淹出ユニットの好ましい実施形態の上方からの斜視図である。
【図４ｂ】デバイスの飲料淹出ユニットの好ましい実施形態の下方からの斜視図である。
【図４ｃ】デバイスのハウジングに接続されるための蓋部材の好ましい実施形態の斜視側面図である。
【図５ａ】選択的開放可能弁手段を備える、本発明に係るデバイスに接続されるための受容器の好ましい実施形態に関する。
【図５ｂ】選択的開放可能弁手段を備える、本発明に係るデバイスに接続されるための受容器の好ましい実施形態に関する。
【図５ｃ】図５ａ及び図５ｂに示されるとおりの受容器の好ましい実施形態の下面図に関する。
【発明を実施するための形態】
【００４２】
図１ａは、携帯型飲料調製デバイス２０と、ドッキングステーション３０と、バッテリユニット４０とを備える、本発明に係るシステムの好ましい実施形態に関する。システムは、携帯型デバイス２０に直接、選択的に接続されるように設計された自動車電力ケーブル６０（図１ｂ参照）などの電力ケーブルを更に備えてもよい。
【００４３】
携帯型デバイス２０は、電力ケーブル３０ｃを介して商用電源に電気的に接続されたドッキングステーション３０に電気的且つ機械的に接続されるようになっている。これに関して、ドッキングステーションは、商用電源によって提供されたとおりのＡＣ入力電流を、好ましくは、低電圧のＤＣ出力電流に変換するためのＡＣ／ＤＣ電力変換器を備える。具体的には、ドッキングステーション３０のＡＣ／ＤＣ電力変換器は、１１０〜２２０ボルト、２．２アンペア及び５０〜６０ＨｚのＡＣ入力を、１２アンペアにおける１２〜１６ボルト、好ましくは１５ボルトの出力電流に変換するようになっている。
【００４４】
この目的のために、携帯型デバイス２０は、ドッキングステーション３０、バッテリユニット４０又は電力ケーブル６０などの異なる電源が個々に接続されてもよい、好ましくは、デバイスのハウジング２０ａの側面において設けられた単一の多機能コネクタ５１を備える。
【００４５】
この目的のために、システムの異なる電源３０、４０、６０は好ましくは、携帯型デバイス２０の多機能コネクタ５１に選択的に接続されるように設計された同じ電気接続手段５０を備える。接続手段５０は好ましくは、それぞれの電源３０、４０、６０から或る程度突出した雄型接続要素として形成される。多機能コネクタ５１は好ましくは、雌型接続要素として形成される。
【００４６】
システムのドッキングステーション３０は好ましくは、システムの少なくとも１つのバッテリユニット４０のための充電ユニットとして動作するように設計される。したがって、ドッキングステーション３０は好ましくは、バッテリユニット４０がその接続手段５０を介して電気的且つ機械的に接続されてもよい少なくとも１つの専用コネクタ５２を備える。図１ｂに示されるように、ドッキングステーション３０は好ましくは、少なくとも２つのバッテリユニット４０を支持するように設計される。
【００４７】
図１ａ及び図１ｂに示されるとおりの好ましい実施形態では、ドッキングステーション３０は好ましくは、携帯型デバイス２０、及び少なくとも１つの、好ましくは少なくとも２つのバッテリユニット４０に同時に接続するように設計される。したがって、電気コネクタ５０及び専用充電コネクタ５２はドッキングステーション３０の異なる側面において配置される。
【００４８】
ドッキングステーション３０は好ましくは、接続されたバッテリユニット（単数又は複数）４０及び携帯型デバイス２０に関する情報を提供するように設計されたグラフィカルユーザインタフェース７０を備える。具体的には、ドッキングステーション３０に接続されたバッテリユニット４０の充電状態が示されてもよい。ユーザインタフェース７０は、ドッキングステーション３０に接続されているときにデバイス２０の制御を可能にするように、且つ／又はデバイス２０の動作状態に関するフィードバック情報を提供するように更に設計されてもよい。
【００４９】
デバイス２０は好ましくは、ハウジング２０ａと、ハウジング２０ａの最上部部分に配置された蓋部材１３とを備える。蓋部材は、受容器１１が載置され得る上部支持面１２を備える。受容器１１及び支持面１２は好ましくは、図１ａに示されるとおりのデバイスの動作状態、及び図１ｂにおける示されるとおりのデバイスの輸送状態における受容器１１の支持を可能にするように設計される。
【００５０】
デバイス２０は好ましくは、ユーザインタフェース２０ｂを更に備える。ユーザインタフェースは好ましくは、ユーザがデバイスによる飲料調製を選択的に開始及び停止することを可能にするための開始／停止ボタンを少なくとも備える。デバイスは好ましくは、ユーザがデバイスの液体貯留槽８（図２参照）内の液体レベルを制御することを可能にするための窓２０ｃを更に備える。
【００５１】
デバイス２０は好ましくは、本質的に垂直円筒状の形を有する。動作状態では、デバイスは、好ましくは丸い前面、それぞれの、下面２０ｄで立つ。下面２０ｄ及びドッキングステーション３０の支持面３０ａは好ましくは、ドッキングステーション３０に接続されているときのデバイス２０の安定した位置付けを保証するために、共形形状のものである。
【００５２】
デバイス２０は好ましくは、ハウジング２０ａにおいて枢動可能に配置され、デバイスの中心部分からその上の上部部分に向かって延在する取っ手２０ｅを更に備える。取っ手２０ｅは好ましくは、蓋部材１３の支持面１２を越えて上方へ延在する。これに関して、取っ手２０ｅは好ましくは、例えば、図１ｂに指示されているものなどの、デバイスの輸送中に受容器１１を支持する形状に作られている。
【００５３】
取っ手２０ｅは、ドッキングステーション３０の支持面３０ａ上に載せられると、ドッキングステーション３０の専用接続表面３０ｂと係合するように更に配置される。これに関して、枢動可能に配置された取っ手２０ｅは、図１ｂに示されるとおりの本質的に上下に延在する位置から、取っ手２０ｅが接続表面３０ｂと係合する、図１ａに示されるとおりの少し傾いた向きへ枢動させられてもよい。このようにして、ドッキングステーション３０における携帯型デバイス２０の安定した位置付けが可能になる。
【００５４】
図２は、デバイス２０の輸送又は保管モードにおけるデバイス２０の断面側面図に関する。これに関して、受容器１１は、その周囲上縁部１１ｂをデバイスの支持面１２上に載せて配置される。支持面１２は、受容器の縁部１１ｂとのクランプ係合を可能にする円形突出部などの専用係合手段を有してもよい。図に更に示されるように、取っ手２０ｅは、受容器の底部１１ａを圧迫するように配置される。したがって、受容器１１は輸送及び保管の最中に取っ手２０ｅとデバイスの支持面１２との間に安全に保持され得る。
【００５５】
デバイスは、膜ポンプなどの、モータ７ａに接続されたポンプ７を備える。ポンプ７及び／又はモータ７ａは好ましくは、例えば、ばね７ｂによって、ハウジング２０から、振動が伝わらないよう分離されている。デバイスは、ポンプ７と流体接続した液体貯留槽８と、加熱手段９とを更に備える。加熱手段９は液体貯留槽８内に配置され、温度センサ９ａを備えてもよい。加熱手段９は、液体貯留槽８内に収容された量の液体を所望の温度まで選択的に加熱するように設計される。デバイスは好ましくは、また、少なくとも、ポンプ７、加熱手段９及びユーザインタフェース２０ｂに接続された制御ユニット９ｂを備える。
【００５６】
デバイスは、好ましくはデバイス２０の上部部分において配置されている、飲料淹出ユニット５を更に備える。淹出ユニット５は好ましくは、内部に受容されるカプセル１０と共形形状を有するカプセル注入ケージ５ａを備える。注入ケージ５ａは好ましくは、図に示されるように、周囲に直線状突出部が形成されてもよい、本質的にベル形の形状を有する。これらは、飲料調製後におけるケージ５ａからのカプセルの取り外しの促進を可能にし得る。
【００５７】
淹出ユニット５は、デバイスの液体貯留槽８、ポンプ７及び加熱手段９に接続された液体流入手段５ｂを更に備える。淹出ユニット５は好ましくは、また、淹出ユニット５内に配置されるとカプセル１０の入口面１０ａを開くようになっている、穿孔部材又は突き切り刃などの開孔手段５ｃを備える。
【００５８】
淹出ユニット５の上部部分は好ましくは、淹出ユニット５の下部部分に選択的に接続されてもよい取り外し可能な蓋部材１３によって形成される。蓋部材１３は、互いに対して自由回転可能に配置された外側周辺蓋部分１３ｂと内側中心蓋部分１３ａとを備える。蓋部材１３、具体的には、内側中心蓋部分１３ａは、飲料調製プロセスの最中にカプセル１０の出口面１０ｂを開けるために配置された開孔手段１５を備える。開孔手段１５は好ましくは、水平に配置されたベースプレートを含み、そこから複数の小さな突出部１５ａがカプセル１０の出口面１０ｂの方向に下方へ向けられている、ピラミッドプレートである（図３ｃ参照）。カプセル１０内の圧力を増大させた場合、その出口面１０ｂはピラミッドプレート１５に押し付けられることになり、その後、その突出部１５ａにおいて破れることになる。ピラミッドプレート１５は、プレート１５から蓋部材１３の飲料注出手段６へ向かう流体の流れを可能にする小さな液体流路１５ｂを更に含む。
【００５９】
飲料注出手段６は好ましくは、蓋部材１３に含まれ、飲料淹出ユニット５から受容器１１へ向かう流体の流れを可能にする。注出手段６はデバイスの淹出ユニット５の上方に鉛直に配置される。注出手段６は、受容器１１のための支持面１２から突出した注入部材６ａを備える。注入部材６ａは好ましくは、支持面１２の中心に配置される。
【００６０】
図３ａは、蓋部材１３がハウジング２０から取り外されたときのデバイスの断面側面図に関する。
【００６１】
飲料淹出ユニット５は好ましくは、ハウジング２０ａ内で可動に配置される。具体的には、カプセル注入ケージ５ａを保持する外部ケージブロック５ｄ（図４ｂも参照）がデバイス２０内で可動に配置される。注入ケージ５ａは好ましくは、同様に、例えば、中心ばね部材５ｆによって、ケージブロック５ｄに対して可動に配置される。
【００６２】
注入ケージ５ａを保持するケージブロック５ｄは好ましくは、例えば、ばねなどの、専用弾力性手段５ｅによってハウジング２０内で上下に可動に配置される。ばね５ｅは好ましくは、ケージブロック５ｄの周囲において均一に配置される（図４ｂも参照）。ケージブロック５ｄは好ましくは、蓋部材１３がハウジング２０ａに接続されている場合における図２に示されるとおりの下部位置と、蓋部材１３がハウジング２０に接続されていないときの、図３ａに示されるとおりの上部位置との間で可動である。その上部位置では、注入ケージ５ａと液体貯留槽８との間の流体通路１６が開かれる。具体的には、注入ケージ５ａ内に提供された流体を液体貯留槽８へ誘導することを可能にする、ポンプ７から注入ケージ５ａへ流体連通して環状通路１６が設けられる。これに関して、上方から注入ケージ５ａ内に提供された流体を液体貯留槽８へ向け直すために、液体通路１６ａ及び案内流路１６ｂなどの専用案内手段が環状通路１６と流体連通している。ケージブロック５ｄは、液体貯留槽８とハウジング２０の外部との間の空気の流通を可能にするように設計された排気手段２５（図４ｂ参照）を更に備えてもよい。このような構成によれば、ユーザは蓋部材１３を淹出ユニット５から取り外すことができ、液体貯留槽８を再充填するために水などの液体をカプセル注入ケージ５ａ内に直接充填することができる。このような構成の代替例として、専用再充填アパーチャがデバイスのハウジング２０ａに設けられてもよい。
【００６３】
図３ｂは、飲料原材料を含むカプセル１０がカプセル注入ケージ５ａに提供されているときのデバイス２０の断面側面図に関する。カプセル１０は好ましくはアルミニウムから作製される。しかし、カプセルはまた、プラスチック又は生分解性材料から作製されてもよい。カプセル１０は好ましくは、入口面１０ａ及び出口面１０ｂを有する回転対称的な円錐台形状の本体を備える。出口面１０ｂはカプセルの周囲のフランジ状縁部分１０ｃに接続されている。注入ケージ５ａの開孔手段５ｃは、図３ｂに示されるように、カプセルの入口面１０ａを開くように、又は、穿孔するように配置される。デバイス２０内に挿入されると、カプセル出口面１０ｂはカプセルの最上部に配置される。入口面１０ａはカプセルの最下部に配置される。
【００６４】
蓋部材１３が、図３ｃに示されるように、ハウジング２０ａに再接続された場合、カプセルケージ５ａに以前に提供されたカプセル１０は、カプセルケージ５ａ及び蓋部材１３のピラミッドプレート１５によって淹出ユニット５内に包囲される。これによって、ピラミッドプレート１５は上部出口面１０ｂを圧迫する。蓋部材１３は、蓋部材１３の外側部分１３ｂがハウジング２０ａに対して回転すると、蓋部材が下方向に並進運動することを可能にする螺旋経路１３ｃによって、ハウジング２０ａに接続されてもよい。蓋部材１３がハウジング２０ａに接続されると、外部ケージブロック５ｄが下方向に押されるため、カプセル注入ケージ５ａと液体貯留槽８との間の液体通路１６は（再）閉鎖されることに留意されたい。
【００６５】
更に、蓋部材１３をハウジング２０ａと（再）接続すると、内側蓋部分１３ａは、内側蓋部分１３ａと、飲料淹出ユニット５内に配置されたカプセル１０との相対運動を防止するために、飲料淹出ユニット５において、及び、具体的には、その外部ケージブロック５ｄにおいて配置された回転防止手段１４と相互作用することになる（図４ａも参照）。これに関して、内側蓋部分１３ａは、淹出ユニット５の回転防止手段１４と相互作用する専用セレーション又は突出部１３ｄ（図４ｃ参照）を備えてもよい。内側部分１３ａは蓋部材１３の外側部分１３ｂに対して自由に回転運動可能であるため、ハウジング２０ａ上への蓋部材１３の完全な閉鎖が可能になる。その後、蓋部材１３が飲料調製後にハウジング２０ａから外されると、蓋部材１３の中心部分はカプセル１０に対する回転を防止され、それゆえ、ピラミッドプレート１５は、カプセル１０の出口面１０ｂを更に裂くこと、又は、破壊することを防止される。
【００６６】
図３ｄは、本発明に係る飲料調製デバイス２０の動作姿勢に関する。これに関して、受容器１１がデバイスの飲料注出手段６に接続される。これは、注出手段６の注入部材６ａと相互作用する受容器１１の底部部分１１ａ内に配置された弁手段１７を介して達成される。具体的には、注入部材６ａは、底部部分１１ａに接続されると、注入部材６ａと受容器１１ｃの内部との間の流体連通を可能にするために弁手段１７を上方へ移動させる。
【００６７】
受容器１１は好ましくは、受容器が支持面１２内に置かれると、蓋部材１３の支持面１２又はその下方に配置された磁気接続部材２１と相互作用するように設計された磁気接続部材１１ｄを備える。したがって、磁力が受容器１１を支持面１２の方へ引き付けることになり、それゆえ、受容器１１と支持面１２との間の安定した接続が確実にされる。受容器１１及び／又は蓋部材１３内の磁性部材１１ｄは、好ましくは円形配置の周囲の周りに交互の極性を有してもよい（図５ｃも参照）。したがって、ユーザは、受容器１１と蓋部材１３との間に等しい極性が存在するように配置し、それゆえ、受容器１１と支持面１２との間の分離力を生じさせるために、受容器１１を支持面１２内で回転させてもよい。それゆえ、飲料調製後に、ユーザは、表面１２からの取り外しを促進するために受容器１１を回転させてもよい。
【００６８】
ユーザがユーザインタフェース２０ｂを用いて飲料調製を開始した場合、加熱手段９は、デバイスの液体貯留槽８内に収容された量の液体を加熱することになる。液体の所望及び所定の温度に達した後に、次に、ポンプ７が、加熱された加圧液体、特に、水を、デバイスの専用配管を経由して飲料淹出ユニット５内に提供するために作動されことになる。液体は、カプセルケージ５ａ、カプセル１０の入口面１０ａ内に作り出された開口部（単数又は複数）、及びかくしてカプセル１０の内部に提供されることになる。カプセル内の圧力上昇により、出口面１０ｂは変形してピラミッドプレート１５にぶつかり、このために出口面１０ｂは裂ける。すると、液体とカプセル１０内に収容された原材料との相互作用で得られた飲料が重力に逆らって飲料注出手段６の方向に上方へ移動させられることになる。注出手段６と、受容器１１の内部との間に確立された接続のために、得られた飲料は受容器１１の底部部分１１ａを通ってその内部１１ｃの中に提供されることになる。デバイスの制御ユニット９ｂは好ましくは、所定の量の液体が淹出ユニット５に提供された後に、淹出ユニット５への液体の提供を停止する。得られた飲料を受容器の底部部分１１ａを通して直接提供するおかげで、飲料がこぼれることが効果的に防止される。飲料の流体の流れ、特に淹出ユニット５から受容器１１の内部１１ｃへの飲料の流体の流れは好ましくは、共通の方向、特に、本質的に重力と反対の方向であることに留意されたい。したがって、流体の流れの方向は好ましくは、特に淹出ユニット５から受容器１１まで変化しない。
【００６９】
図４ａは、デバイスのハウジング２０ａ内に挿入されたときのカプセルケージブロック５ｄ及びカプセル注入ケージ５ａに向けた斜視側面図に関する。図に見ることができるように、蓋部材１３の中心部分１３ａによって係合されると回転防止手段として機能するセレーション１４が、好ましくは、カプセルケージブロック５ｄの上面の周囲の周りに配置される。
【００７０】
図４ｂは、ハウジング２０ａから分離されたときのカプセルケージブロック５ｄに向けた斜視側面図に関する。ケージブロック５ｄは、ブロック５ｄの周囲の周りに配置され、蓋部材１３がハウジング２０ａに接続されていない場合にはケージブロック５ｄを上方向に移動させるように設計されたばね５ｅを備える。
【００７１】
図４ｃは、環状突出部、又は、セレーション１３ｄが示されている、蓋部材１３の斜視下面図に関する。セレーション１３ｄは、ピラミッドプレート１５の周囲に配置された下面から突出し、ケージブロック５ｄのセレーション１４（図４ａ参照）と相互作用するように設計されている。図に示されるように、外側蓋部分１３ｂの内面は、蓋部材１３をハウジング２０ａに接続するためにデバイスのハウジング２０ａにおけるくぼみ１３ｃ（図３ｄ参照）と相互作用するように設計された接続部材１３ｅを備える。
【００７２】
図５ａ及び図５ｂは、デバイス２０に接続されるように設計された受容器１１を示す。これに関して、図５ａは、開放状態における受容器の弁手段１７を示し、図５ｂは、閉鎖された弁手段１７に関する。
【００７３】
弁手段１７は好ましくは、デバイス２０の飲料注出手段６の飲料注入部材６ａによって係合されると上下長が伸張可能である弾性部分２３を備える。これに関して、弾性部分２３は好ましくは、受容器の底部部分１１ａ内に設けられた本質的に垂直なアパーチャ２４内に固定される下部部分２３ｃを備える。注入部材６ａ（図には示されていない）が部分２３の垂直孔２３ｄ内に導入されることによって部分３４が上方向に伸張すると、部分２３の上部部分２３ａは受容器の底部部分１１ａ内の垂直アパーチャ２４を越えて伸張し、それにより、弾性部分２３内で放射状に延在する孔２３ｂのおかげで受容器１１の内部１１ｃと垂直孔２３ｄとの間の流体連通が可能になる。弁手段１７が、突出した注入部材６ａから外されると、弾性部分２３は収縮し、それゆえ、放射状に延在する孔２３ｂを閉鎖することになる。更に、内部１１ｃに提供された任意の液体は、弁手段１７を閉鎖状態に維持するために、部分２３に下向きの力を加えることになる。
【００７４】
図５ｃは、磁性部材１１ｄが、上述されたとおり、それらの異なる極性２２ａ、２２ｂを有するように示されている、受容器１１の下面図を示す。具体的には、磁性部材１１ｄは受容器１１の底部部分１１ａの周りに円形配置で設けられている。これに関して、磁石のＮ極及びＳ極に関する異なる極性２２ａ、２２ｂが、円形配置内で交互になるように配置されている。
【００７５】
本発明はその好ましい実施形態を参照して説明されたが、多くの変更及び代替が、当業者によって、添付の請求項によって定義される本発明の範囲から逸脱することなく行われ得ることに留意されたい。
【図１ａ】
2017518782.tif 000003
【図１ｂ】
2017518782.tif 000004
【図２】
2017518782.tif 000005
【図３ａ】
2017518782.tif 000006
【図３ｂ】
2017518782.tif 000007
【図３ｃ】
2017518782.tif 000008
【図３ｄ】
2017518782.tif 000009
【図４ａ】
2017518782.tif 000010
【図４ｂ】
2017518782.tif 000011
【図４ｃ】
2017518782.tif 000012
【図５ａ】
2017518782.tif 000013
【図５ｂ】
2017518782.tif 000014
【図５ｃ】
2017518782.tif 000015
【国際調査報告】
2017518782.tif 000016
2017518782.tif 000017
2017518782.tif 000018